(57)【要約】【課題】複数条の電力ケーブルの間や電力ケーブルとトラフの隙間に挟まることがない、複数の吐出ノズルを有する幅広の先端冶具を設け、かつ、先端冶具の前後の吐出ノズルを着脱自在とし、砂の状況に合わせて、前後の吐出ノズルを交換可能にし、トラフ内に充填された砂を確実に抜き取り、除去できるトラフ内の砂除去装置及び当該装置を用いた砂除去方法を提供する。【解決手段】ウオータージェットノズルとして、電力ケーブル１２が１本又は複数本収納されたトラフ１０の、前記電力ケーブル１２の上部のトラフ１０の断面より、やや小さい断面形状を有する枠体からなる先端冶具１を設け、当該先端冶具１を高圧水ホース２の先端に接続し、前記先端治具１はパイプ枠体４からなり、先端冶具１の前方に高圧水を噴霧する前部吐出ノズル７と先端冶具１の後方に高圧水を噴霧する複数の後部吐出ノズル８を夫々着脱自在に接続した。【選択図】図１０
2020022270.tif 000002
【特許請求の範囲】
【請求項１】
ウオータージェットノズルとして、電力ケーブルが１本又は複数本収納されたトラフの、前記電力ケーブルの上部のトラフの断面より、やや小さい断面形状を有する枠体からなる先端冶具を設け、
当該先端冶具を高圧水ホースの先端に接続し、
前記先端治具はパイプ枠体からなり、先端冶具の前方に高圧水を噴霧する前部吐出ノズルと先端冶具の後方に高圧水を噴霧する複数の後部吐出ノズルを着脱自在に設けたことを特徴とする、ウオータージェットノズルを用いたトラフ内の砂除去装置。
【請求項２】
前記先端冶具は、平面視略三角形状のパイプ枠体から成り、
当該パイプ枠体の後方の一片中央部を前記パイプ枠より大径の基部管とし、当該基部管から前記パイプ枠体の三角形状の先端角部に向けて湾曲端部を導出し、
当該湾曲端部の、前記パイプ枠体より上方に立ち上げてパイプ枠体と平行な前端部に、前記前部吐出ノズルを着脱自在に接続し、当該前部吐出ノズルは前記パイプ枠体の三角形状の先端角部より後方に位置し、
前記基部管の後部中央に設けた接続管体に前記高圧水ホースが接続され、
当該接続管体の両側の前記基部管の後部及び、当該基部管と同じ辺を成すパイプ枠体の両側後部に、複数個の前記後部吐出ノズルを着脱自在に接続したことを特徴とする、請求項１に記載のウオータージェットノズルを用いたトラフ内の砂除去装置。
【請求項３】
前記先端冶具は、平面視前部の両側が後方に折れ曲がった逆Ｕ字型の外側パイプ枠体と、当該外側パイプ枠体の前部の背面中央部に両端を接続したＵ字型の内側パイプ枠体とから成り、
前記内側パイプ枠体の後部中央部から後方に突出した接続管体に、前記高圧水ホースの先端部を接続し、
前記内側パイプ枠体の後部中央部から前方に前部突出パイプを突出させ、当該前部突出パイプの前端部に前記前部吐出ノズルを着脱自在に接続し、
前記外側パイプ枠体の両側後部端に夫々、前記後部吐出ノズルを着脱自在に接続したことを特徴とする、請求項１に記載のウオータージェットノズルを用いたトラフ内の砂除去装置。
【請求項４】
前記前部吐出ノズルは、先細の先端部、その後方の回転部及び固定後部から成り、前記回転部の外周箇所に、当該回転部が回転しながら斜め前方に高圧水を噴射する複数の吐出口を有し、さらに、前記固定後部の後端面外周に、斜め後方に高圧水を噴射する複数の吐出口を有する構成としたことを特徴とする、請求項１〜３のいずれかに記載のウオータージェットノズルを用いたトラフ内の砂除去装置。
【請求項５】
前記後部吐出ノズルは、前記外側パイプ枠体の後部に接続され、大径部の後面部分から後方に突出した突起部分の後端面に水が後方に噴霧する吐出口を設け、
前記大径部の後面部分の外周に、斜め後方に高圧水を噴霧する複数の吐出口を設けたことを特徴とする、請求項４に記載のウオータージェットノズルを用いたトラフ内の砂除去装置。
【請求項６】
前記請求項１〜５に記載のいずれかの砂除去装置を用いて、トラフの一端開口部から、電力ケーブルの上の砂に向けて、前部吐出ノズル及び後部吐出ノズルから夫々高圧水を噴射させながら前記先端冶具をトラフ内に挿入し、  
当該先端冶具の前部吐出ノズルからの高圧水で砂を崩し、後部吐出ノズルからの高圧水の噴射により先端冶具を前進させると共に先端冶具の後方の砂を吹き飛ばして後方に搬送させ、
トラフの一端開口部から前記高圧水ホースを引っ張ることにより、トラフの一端開口部側に先端冶具を後退させて、先端冶具の高圧水の噴射により後方の砂をトラフの一端開口部側に搬送し、
高圧水ホースの引っ張りを止めて、再度先端冶具をトラフ内で自走前進させ、
当該先端冶具のトラフ内の自走による前進及び高圧水ホースの引き戻しによる先端冶具の後退を繰り返すことにより、トラフ内の少なくとも電力ケーブルの上方の砂を除去することを特徴とする、ウオータージェットノズルを用いたトラフ内の砂除去方法。
【発明の詳細な説明】
【技術分野】
【０００１】
この発明は、地中に埋設されたトラフ内に布設されている不要な電力ケーブルを撤去するに際し、トラフ内の前記電力ケーブルの周囲に充填されている砂を除去する除去装置及び当該装置を用いた除去方法に関するものである。
【背景技術】
【０００２】
従来、地中に埋設されたトラフ内に布設されている電力ケーブルの周囲には砂が充填されている。この状態で不要となった電力ケーブルを一方から引っ張って電力ケーブルを撤去するには多大な労力を有し、極めて困難である。
【０００３】
そこで、地中に埋設されたトラフに沿って、地表面を開削し、掘削溝内でトラフを露出させ、トラフ本体と同時に電力ケーブルを撤去していた。そして、撤去した後の掘削溝に土砂を埋め戻していた。
【０００４】
この工法ではトラフ上面の地上部をトラフに沿って開口、掘削しなければならず、掘削範囲が大きく、掘削土砂も多量となり、手間がかかると同時に、工期が長く、工事費が高くなっていた。その上、トラフ等のコンクリートガラ等の建設廃材が発生するため、これらの廃棄処理にも手間や費用を要していた。
【０００５】
また、土中に埋設されたトラフの上の地上に建物や工作物がある場合には開削は不可能である。トラフ上面の地上部を掘削しないで、ケーブルのみを引き抜くことも考えられるが、トラフ内のケーブルの周囲に充填している砂が経年により硬化し、無理にケーブルを引っ張るとケーブルが切断してしまう恐れがあった。
【０００６】
そのため、トラフの一定長の一端から他端までの電力ケーブルを切断し、当該電力ケーブルが埋設されているトラフ内の砂をまず抜き取り、その後当該トラフに入っている電力ケーブルを引き抜く工法が、特許文献１に示す様に開発されている。
【先行技術文献】
【特許文献】
【０００７】
【特許文献１】特開２００６−７４９３９号公報
【発明の開示】
【発明が解決しようとする課題】
【０００８】
しかしながら、上記特許文献１のものは、ロケット形状の単体のノズルであり、断面形状が小さいため、複数条の電力ケーブルの間や電力ケーブルとトラフ内面の隙間に挟まることがあり、挟まると当該ノズルを引き抜くことが出来なくなる欠点がある。またさらに、ウオータジェットでほぐした砂がノズルの後方の高圧ホースを埋めてしまいノズルが抜けなくなる欠点があった。
【０００９】
そこで、この発明は上述の課題を解決するため、複数条の電力ケーブルの間や電力ケーブルとトラフの隙間に挟まることがない、複数の吐出ノズルを有する幅広の先端冶具を設け、かつ、先端冶具の前後の吐出ノズルを着脱自在とし、砂の状況に合わせて、前後の吐出ノズルを交換可能にし、トラフ内に充填された砂を確実に抜き取り、除去できるトラフ内の砂除去装置及び当該装置を用いた砂除去方法を提供することを目的としたものである。
【課題を解決するための手段】
【００１０】
請求項１の発明は、ウオータージェットノズルとして、電力ケーブルが１本又は複数本収納されたトラフの、前記電力ケーブルの上部のトラフの断面より、やや小さい断面形状を有する枠体からなる先端冶具を設け、当該先端冶具を高圧水ホースの先端に接続し、前記先端治具はパイプ枠体からなり、先端冶具の前方に高圧水を噴霧する前部吐出ノズルと先端冶具の後方に高圧水を噴霧する複数の後部吐出ノズルを着脱自在に設けた、ウオータージェットノズルを用いたトラフ内の砂除去装置とした。
【００１１】
請求項２の発明は、前記先端冶具は、平面視略三角形状のパイプ枠体から成り、当該パイプ枠体の後方の一片中央部を前記パイプ枠より大径の基部管とし、当該基部管から前記パイプ枠体の三角形状の先端角部に向けて湾曲端部を導出し、当該湾曲端部の、前記パイプ枠体より上方に立ち上げてパイプ枠体と平行な前端部に、前記前部吐出ノズルを着脱自在に接続し、当該前部吐出ノズルは前記パイプ枠体の三角形状の先端角部より後方に位置し、前記基部管の後部中央に設けた接続管体に前記高圧水ホースが接続され、当該接続管体の両側の前記基部管の後部及び、当該基部管と同じ辺を成すパイプ枠体の両側後部に、複数個の前記後部吐出ノズルを着脱自在に接続した、請求項１に記載のウオータージェットノズルを用いたトラフ内の砂除去装置とした。
【００１２】
また、請求３の発明は、前記先端冶具は、平面視前部の両側が後方に折れ曲がった逆Ｕ字型の外側パイプ枠体と、当該外側パイプ枠体の前部の背面中央部に両端を接続したＵ字型の内側パイプ枠体とから成り、前記内側パイプ枠体の後部中央部から後方に突出した接続管体に、前記高圧水ホースの先端部を接続し、前記内側パイプ枠体の後部中央部から前方に前部突出パイプを突出させ、当該前部突出パイプの前端部に前記前部吐出ノズルを着脱自在に接続し、前記外側パイプ枠体の両側後部端に夫々、前記後部吐出ノズルを着脱自在に接続した、請求項１に記載のウオータージェットノズルを用いたトラフ内の砂除去装置とした。
【００１３】
また、請求項４の発明は、前記前部吐出ノズルは、先細の先端部、その後方の回転部及び固定後部から成り、前記回転部の外周箇所に、当該回転部が回転しながら斜め前方に高圧水を噴射する複数の吐出口を有し、さらに、前記固定後部の後端面外周に、斜め後方に高圧水を噴射する複数の吐出口を有する構成とした、請求項１〜３のいずれかに記載のウオータージェットノズルを用いたトラフ内の砂除去装置とした。
【００１４】
また、請求項５の発明は、前記後部吐出ノズルは、前記外側パイプ枠体の後部に設けた大径部の後面部分から後方に突出した突起部分の後端面に水が後方に噴霧する吐出口を設け、前記大径部の後面部分の外周に、斜め後方に高圧水を噴霧する複数の吐出口を設けた、請求項４に記載のウオータージェットノズルを用いたトラフ内の砂除去装置とした。
【００１５】
また、請求項６の発明は、前記請求項１〜５に記載のいずれかの砂除去装置を用いて、トラフの一端開口部から、電力ケーブルの上の砂に向けて、前部吐出ノズル及び後部吐出ノズルから夫々高圧水を噴射させながら前記先端冶具をトラフ内に挿入し、当該先端冶具の前部吐出ノズルからの高圧水で砂を崩し、後部吐出ノズルからの高圧水の噴射により先端冶具を前進させると共に先端冶具の後方の砂を吹き飛ばして後方に搬送させ、トラフの一端開口部から前記高圧水ホースを引っ張ることにより、トラフの一端開口部側に先端冶具を後退させて、先端冶具の高圧水の噴射により後方の砂をトラフの一端開口部側に搬送し、高圧水ホースの引っ張りを止めて、再度先端冶具をトラフ内で自走前進させ、当該先端冶具のトラフ内の自走による前進及び高圧水ホースの引き戻しによる先端冶具の後退を繰り返すことにより、トラフ内の少なくとも電力ケーブルの上方の砂を除去する、ウオータージェットノズルを用いたトラフ内の砂除去方法とした。
【発明の効果】
【００１６】
請求項１〜３及び６の各発明によれば、ウオータージェットノズルとして先端冶具の断面をトラフの断面形状よりやや小さくした形状を有するため、複数の電力ケーブルの間や電力ケーブルとトラフの内壁との間等に挟まることがない。当該断面形状を有することで電力ケーブルの上を安定して走行できる。
【００１７】
また、前部吐出ノズルと後部吐出ノズルは夫々着脱自在に接続されているので、トラフに充填されている砂の状態、即ち、締まり具合によって、前部吐出ノズルと後部吐出ノズルの吐出穴の径の異なるものに変え、前部吐出ノズルと後部吐出ノズルの高圧水の噴出割合を変えることが出来る。この様にして、トラフ内に充填された砂を、先端冶具の前部吐出ノズルからの高圧水の噴射で前方の砂を崩し、後部吐出ノズルからの高圧水の噴射で先端冶具自体の前方への推進力を得るとともに後方の砂を吹き飛ばすことによりトラフの一端開口部に砂を押しやり、また、先端冶具を、高圧水ホースを引きもどすことにより後退させ、トラフ内に残った砂を一端開口部に搬送することが出来、これによりトラフ内の砂を除去できる。
【００１８】
また、特に、請求項２の発明では、前部吐出ノズルより前方下部にパイプ枠体の先端角部が突出しているため、先端冶具の自走の際に、当該先端角部が砂に突き当たり、その衝撃で砂が崩れ、前部吐出ノズルからの高圧水の噴霧と相俟って砂を容易に崩すことが出来る。
【００１９】
また、請求項４の発明によれば、前記前部吐出ノズルが、先端部に続く回転部の外周の複数箇所の吐出口から、回転しながら斜め前方のトラフの内周面に向けて高圧水を噴射させ、また、その後方の固定後部に、斜め後方のトラフ内周面に向けて高圧水を噴射する吐出口を有するため、一箇所だけでなく、先端冶具の前後のトラフの内周面の広い範囲の砂をまんべんなく崩すことにより、先端冶具の前方、後方の砂を確実に崩して、先端冶具自体の走行及び砂の排出を容易にしている。
【００２０】
また、請求項５の発明によれば、請求項４の前記後部吐出ノズルは、前記外側パイプ枠体の後部に接続され、大径部の後面部分から後方に突出した突起部分の後端面に高圧水が後方に噴霧する吐出口を設け、前記大径部の後面部分の外周縁に、斜め後方のトラフ内面に向けて高圧水を噴射する複数の吐出口を設けているため、先端冶具の後方のトラフの内周面全面に高圧水が噴射されるため、トラフ内の砂は確実に除去される。
【図面の簡単な説明】
【００２１】
【図１】この発明の実施の形態例１のウオータージェットノズルを用いたトラフ内の砂除去装置の概略構成図である。
【図２】この発明の実施の形態例１のウオータージェットノズルを用いたトラフ内の砂除去装置の先端冶具の側面図である。
【図３】この発明の実施の形態例１のウオータージェットノズルを用いたトラフ内の砂除去装置の先端冶具の正面図である。
【図４】この発明の実施の形態例１のウオータージェットノズルを用いたトラフ内の砂除去装置の先端冶具の平面図である。
【図５】この発明の実施の形態例１のウオータージェットノズルを用いたトラフ内の砂除去装置の先端冶具の背面図である。
【図６】この発明の実施の形態例１のウオータージェットノズルを用いたトラフ内の砂除去装置の先端冶具の前部吐出ノズルの拡大図で、（ａ）図は側面図、（ｂ）図は背面図である。
【図７】この発明の実施の形態例１のウオータージェットノズルを用いたトラフ内の砂除去装置を用いるトラフの縦断面図である。
【図８】この発明の実施の形態例１のウオータージェットノズルを用いたトラフ内の砂除去装置の先端冶具をトラフの端部に入れた状態のトラフの端面図である。
【図９】この発明の実施の形態例１のウオータージェットノズルを用いたトラフ内の砂除去装置をトラフ内に挿入した際の高圧水の噴射状態を示す先端冶具の平面図である。
【図１０】この発明の実施の形態例１のウオータージェットノズルを用いたトラフ内の砂除去装置が前進していく状態のトラフの縦断面図である。
【図１１】この発明の実施の形態例１のウオータージェットノズルを用いたトラフ内の砂除去装置を引き戻している状態のトラフの縦断面図である。
【図１２】この発明の実施の形態例２のウオータージェットノズルを用いたトラフ内の砂除去装置の概略構成図である。
【図１３】この発明の実施の形態例２のウオータージェットノズルを用いたトラフ内の砂除去装置の先端冶具の側面図である。
【図１４】この発明の実施の形態例２のウオータージェットノズルを用いたトラフ内の砂除去装置の先端冶具の正面図である。
【図１５】この発明の実施の形態例２のウオータージェットノズルを用いたトラフ内の砂除去装置の先端冶具の平面図である。
【図１６】この発明の実施の形態例２のウオータージェットノズルを用いたトラフ内の砂除去装置の先端冶具の背面図である。
【図１７】この発明の実施の形態例１のウオータージェットノズルを用いたトラフ内の砂除去装置をトラフ内に挿入した際の高圧水の噴射状態を示す先端冶具の平面図である。
【発明を実施するための形態】
【００２２】
（実施の形態例１）
まず、この発明の実施の形態例１のウオータージェットノズルを用いたトラフ内の砂除去装置Ａを図１〜図６に基づいて説明する。
【００２３】
砂抜き除去装置Ａは、図１に示すように、先端冶具１の後方に、高圧水ホース２の先端が取り付けられている。前記先端冶具１と高圧水ホース２の取付けは、先端冶具１の背面から突出した接続管体３に、高圧水ホース２を差し込み、螺子３ａの締付けにより強固に接続されている。
【００２４】
前記先端冶具１は、後述する電力ケーブル１２が１本又は複数本収納されたトラフ１０の、前記電力ケーブル１２の上部のトラフ１０の断面より、やや小さい断面形状を有するパイプ枠体４からなる（図８参照）。
【００２５】
前記パイプ枠体４は、平面視略三角形状を成し、当該パイプ枠体４の後方の一片中央部を前記パイプ枠４より大径の基部管５とし、当該基部管５から前記パイプ枠体４の三角形状の先端角部４ａに向けて、前記パイプ枠体４より上方に立ち上げた湾曲端部６の先端部に、パイプ枠体４と略平行に前部吐出ノズル７を着脱自在に接続し、当該前部吐出ノズル７の先端部は前記パイプ枠体４の三角形状の先端角部４ａより後方に位置している。
【００２６】
前記接続管体３は前記基部管５の後部中央から後方に突出しており、当該接続管体３の両側の前記基部管５の後部及び当該基部管５と同じ辺を成すパイプ枠体４の両側後部に、夫々後部吐出ノズル８を着脱自在に設けている。こられの後部吐出ノズル８は、後方に突出した突起部分８ａを有し、これらの各突起部分８ａの後端面に、先端冶具１の後方に高圧水を噴射させる吐出口８ｂを備えている。そして、具体的には前記突起部分８ａが着脱自在となっている。
【００２７】
また、前記前部吐出ノズル７は、図６に示す様に、先細の先端部７ａと、これに続き、横向き短円柱状の回転部７ｂと、当該回転部７ｂの後ろの、横向き短円柱状の固定後部７ｃとから構成されている。この固定後部７ｃの後端面中央部には、前記湾曲端部６を嵌合螺着する螺子孔７ｄを有している。
【００２８】
そして、前記回転部７ｂの外周複数箇所に、回転部７ｂが回転しながら斜め前方に高圧水を噴射する吐出口７ｅを有し、さらに、前記固定後部７ｃの後端面外周の複数箇所に、斜め後方に高圧水を噴射させる吐出口７ｆを設けている。従って、これらの吐出口７ｅ及び７ｆから高圧水が、当該前部吐出ノズル７の前後のトラフ１０の内周面に向けて噴射される構造になっている。
【００２９】
また、前記前部吐出ノズル７及び後部吐出ノズル８は夫々着脱自在となっており、径の異なる吐出口７ｅ、７ｆ及び８ｂを有する前部吐出ノズル７及び後部吐出ノズル８を複数用意しており、これらを取り替えることによって先端冶具１の前後の高圧水の噴射量割合を変えることが出来る。従って、トラフ内の砂が固い時は、前部吐出ノズル７の吐出口７ｅ、７ｆの大きい径のものを選び、後部吐出ノズル８の吐出口８ｂの吐出量との割合を調整する。
【００３０】
なお、前記先端冶具１の前記接続管体３、パイプ枠体４及び基部管５、湾曲端部６は内部が相互につながっている。
【００３１】
次に、この発明の実施の形態例１の砂除去装置Ａを用いた砂除去方法について図７〜図１１に基づいて説明する。
【００３２】
まず、図７に示すように、一定長のトラフ１０の両端に立坑１１を設け、当該各立坑１１内で、電力ケーブル１２を切断する。前記一定長のトラフ１０の両端にマンホールがある場合は各マンホールを利用し、立坑１１を設ける必要はない。また、トラフ１０内には砂１３が充填されている。
【００３３】
このトラフ１０において、一方の立坑１１から前記砂除去装置Ａを、図８に示す様に、トラフ１０内に入れる。このトラフ１０の下部には２本の電力ケーブル１２、１２が配設されているため、これらの電力ケーブル１２の上の砂１３に先端冶具１を押し込む。なお、トラフ１０内に電力ケーブル１２が１本収納されている場合があるが、その場合も電力ケーブル１２の上の砂１３に先端冶具１を押し込む。
【００３４】
その後、地上のコンプレッサー等により高圧水を高圧水ホース２に注入する。これにより、図９に示す様に、砂除去装置Ａの先端冶具１の前部吐出ノズル７及び後部吐出ノズル８の各吐出口７ｅ、７ｆ及び吐出口８ｂから高圧水が、先端冶具１の前後のトラフ１０の内周に噴射される。そして、図１０に示す様に、前部吐出ノズル７の吐出口７ｅから高圧水が斜め前方に噴射して先端冶具１の前方の砂１３が緩む。また、前部吐出ノズル７の吐出口７ｆから高圧水が斜め後方に噴射するとともに後部吐出ノズル８の吐出口８ｂから高圧水が後方に噴射し、これらにより先端冶具１の前方への推進力を得るとともに先端冶具１の後方の砂１３を吹き飛ばす。これにより、先端冶具１はトラフ１０内を前進自走し、後方の砂１３は水を含んで崩れ、トラフ１０の一端開口部側に流れる。
【００３５】
そして、先端冶具１がトラフ１０内を一定距離進んだら、トラフ１０の一端開口部から高圧水ホース２を引き戻す。これは、作業者による人力か機械等の動力により高圧水ホース２を引っ張る。
【００３６】
この様に、先端冶具１を後方に引っ張ることにより、図１１に示す様に、先端冶具１の前部吐出口７の吐出口７ｆ及び後部吐出ノズル８の吐出口８ｂから噴射した高圧水は先端冶具１の後方の砂１３を吹き飛ばしながら、先端冶具１の後方への移動にともなって、トラフ１０内の砂が一端開口部に移送され、砂１３が除去される。
【００３７】
この様にして、先端冶具１の自走による前進及び高圧水ホース２による引き戻しを複数回繰り返して、先端冶具１をトラフ１０の奥まで入れ、トラフ１０内の砂１３を取り除く。
【００３８】
これにより、トラフ１０内の砂１３、又は、少なくとも電力ケーブル１２の上の砂１３を取り除く。その後、電力ケーブル１２を一方の立坑１１から容易に引き剥くことが出来る。
【００３９】
（実施の形態例２）
次に、この発明の実施の形態例２のウオータージェットノズルを用いたトラフ内の砂除去装置Ｂを図１２〜図１７に基づいて説明する
【００４０】
砂抜き除去装置Ｂは、図１２に示すように、先端冶具１５の後方に、高圧水ホース１６の先端が取り付けられている。前記先端冶具１５への高圧水ホース２の取付けは、先端冶具１５の背面から突出した接続管体１７に、高圧水ホース１６の先端を差し込み、螺子１７ａの締付けにより強固に接続されている。
【００４１】
前記先端冶具１５は、前記電力ケーブル１２が１本又は複数本収納されたトラフ１０の、前記電力ケーブル１２の上部のトラフ１０の断面より、やや小さい断面形状を有するパイプ枠体１８からなる。
【００４２】
前記先端冶具１５は平面視前部の両側が後方に折れ曲がった逆Ｕ字型の外側パイプ枠体１８ａと、当該外側パイプ枠体１８ａの前部の背面中央部に両端を接続したＵ字型の内側パイプ枠体１８ｂとから成り、前記内側パイプ枠体１８ｂの後部中央部から後方に突出した前記接続管体１７に、前記高圧水ホース１６の先端部を、前述の様に、接続している。
【００４３】
また、前記内側パイプ枠体１８ｂの後部中央部から前方に突出して、前記外側パイプ枠体１８ａの前部より前方に突出する前部突出パイプ１９を設け、当該前部突出パイプ１９の端部に、前記実施の形態例１の前部吐出ノズル７と同じ構造の前部吐出ノズル２０を接続し、外側パイプ枠体１８ａの両側後部端に夫々、後部吐出ノズル２１を着脱自在に接続している。
【００４４】
前記前部吐出ノズル２０は、前記前部吐出ノズル７と同様に、先端部２０ａ、回転部２０ｂ及び固定後部２０ｃから構成され、前記回転部２０ｂの外周に、回転しながら斜め前方に高圧水を噴射する吐出口２０ｅと、前記固定後部２０ｃの後端面外周の複数箇所に、斜め後方に高圧水を噴射させる吐出口２０ｆを設けている。また、図示はしていないが、固定後部２０ｃの後端面中央部には、前部突出パイプ１９の先端部が勘合螺着する螺子孔を有している。
【００４５】
また、前記各後部吐出ノズル２１は、図１５及び図１６に示す様に、大径部の後面部分２１ａの中央部から後方に突出した突起部分２１ｂの後端面に、高圧水を後方に噴射させる吐出口２１ｃを設け、また、前記後面部分２１ａの周縁４箇所に、斜め後方に高圧水を噴射させる吐出口２１ｄを夫々設けている。そして、当該後部吐出ノズル２１は、具体的には前記突起部分２１ｂが着脱自在となっている。
【００４６】
そして、この砂除去装置Ｂをトラフ１０内に入れて、地上のコンプレッサーにより高圧水を高圧水ホース１６に注入する。これにより、図１７に示す様に、砂除去装置Ｂの先端冶具１５の前部吐出ノズル２０及び後部吐出ノズル２１の各吐出口２０ａ、２０ｂ及び各吐出口２１ｃ、２１ｄから高圧水がトラフ１０の全内周に噴射される。
【００４７】
なお、当該先端冶具１５の接続管体１７、外側パイプ枠体１８ａ、内側パイプ枠体１８ｂ及び前部突出パイプ１９は内部が相互につながっている。
【００４８】
この実施の形態例２の砂抜き除去装置Ｂの使用方法は、前記実施の形態例１の砂抜き除去装置Ａと同様であるので、説明を省略する。
【００４９】
以上の実施の形態例１及び２の砂抜き吸引装置Ａ、Ｂを用いてトラフ１０内の砂１３を取り除く方法によれば、先端冶具１又は１５の断面が、トラフ１０の左右の断面幅よりやや小さい幅を有し、かつ、電力ケーブルの上のトラフ断面の高さに近い高さを有しているため、先端冶具１又は１５はトラフ１０内で安定した姿勢を保ち、トラフ１０と電力ケーブル１２との間や、２本の電力ケーブル１２の間等に挟まって動けなくなる恐れがない。
【００５０】
またさらに、先端冶具１又は１５の前部吐出ノズル７又は２０及び後部吐出口８又は２１を、吐出口の径の異なったものに変更できるため、前後の高圧水の噴射量の割合を、砂の状況に応じて、変更することができ、トラフ１０内の砂１３を確実に除去することが出来る。
【００５１】
なお、前記実施の形態例１及び２の前部吐出ノズル７又は２０、及び後部吐出ノズル８又は２１は相互に交換でき、さらに、径の異なる吐出口を有する前部吐出口７又は２０、後部吐出ノズル８又は２１を複数種用意している。
【符号の説明】
【００５２】
Ａ      砂抜き除去装置
Ｂ      砂抜き除去装置
１      先端冶具                ２      高圧水ホース
３      接続管体                ３ａ    螺子
４      パイプ枠体              ４ａ    先端角部
５      基部管                  ６      湾曲端部
７      前部吐出ノズル          ７ａ    先端部
７ｂ    回転部                  ７ｃ    固定後部
７ｄ    螺子孔                  ７ｅ    吐出口
７ｆ    吐出口                  ８      後部吐出ノズル
８ａ    突起部分                ８ｂ    吐出口
１０    トラフ                  １１    立坑
１２    電力ケーブル            １３    砂                  
１５    先端冶具                １６    高圧水ホース
１７    接続管体                １７ａ  螺子
１８    パイプ枠体              １８ａ  外側パイプ枠体
１８ｂ  内側パイプ枠体          １９    前部突出パイプ
２０    前部吐出ノズル          ２０ａ  先端部
２０ｂ  回転部                  ２０ｃ  固定後部
２０ｅ  吐出口                  ２０ｆ  吐出口
２１    後部吐出ノズル            ２１ａ  後面部分  
２１ｂ  突起部分                  ２１ｃ  吐出口  
２１ｄ  吐出口    
【図１】
2020022270.tif 000003
【図２】
2020022270.tif 000004
【図３】
2020022270.tif 000005
【図４】
2020022270.tif 000006
【図５】
2020022270.tif 000007
【図６】
2020022270.tif 000008
【図７】
2020022270.tif 000009
【図８】
2020022270.tif 000010
【図９】
2020022270.tif 000011
【図１０】
2020022270.tif 000012
【図１１】
2020022270.tif 000013
【図１２】
2020022270.tif 000014
【図１３】
2020022270.tif 000015
【図１４】
2020022270.tif 000016
【図１５】
2020022270.tif 000017
【図１６】
2020022270.tif 000018
【図１７】
2020022270.tif 000019
【手続補正書】
【提出日】平成30年8月6日(2018.8.6)
【手続補正１】
【補正対象書類名】図面
【補正対象項目名】全図
【補正方法】変更
【補正の内容】
【図１】
2020022270.tif 000020
【図２】
2020022270.tif 000021
【図３】
2020022270.tif 000022
【図４】
2020022270.tif 000023
【図５】
2020022270.tif 000024
【図６】
2020022270.tif 000025
【図７】
2020022270.tif 000026
【図８】
2020022270.tif 000027
【図９】
2020022270.tif 000028
【図１０】
2020022270.tif 000029
【図１１】
2020022270.tif 000030
【図１２】
2020022270.tif 000031
【図１３】
2020022270.tif 000032
【図１４】
2020022270.tif 000033
【図１５】
2020022270.tif 000034
【図１６】
2020022270.tif 000035
【図１７】
2020022270.tif 000036